(57)【要約】【課題】各種スクリーン上に設置することができ且つコストを低減できるウェブカメラの脚台を提供する。【解決手段】この脚台は、一つの座体１と一つの可撓性部材２と一つの底座３を含む。座体は担持部１１を含み、担持部に接続座１１１が設けられ、接続座がウェブカメラと接続される。担持部の一端は下向きに伸ばされて接触部１２を形成し、接触部がコンピュータのスクリーンに当接する。可撓性部材２は少なくとも一つの金属蛇腹管２１で、担持部の他端が可撓性部材の一端に接続され、可撓性部材の他端が底座３に接続される。金属蛇腹管はユーザーが屈曲を容易に行うことが出来、可撓性部材を屈曲することにより、底座３がコンピュータのスクリーンに当接し、或いは完全に底座３の底部を机面に水平に置くことが出来る。よってウェブカメラは、コンピュータのスクリーン上にしっかりと載置され、机面に立てることも出来、ユーザーが撮影することに寄与する。【選択図】図２
0003130296.tif 000002
【実用新案登録請求の範囲】
【請求項１】
一つの座体と一つの可撓性部材と一つの底座とを含み、前記座体の頂部に一つの接続座が設けられ、前記可撓性部材の一端が前記座体に接続され、前記底座に一つの当接部が設けられ、前記底座が前記可撓性部材の他端に接続されることを特徴とするウェブカメラの脚台構成。
【請求項２】
前記座体が担持部を一つ含み、当該担持部の前端が下向きに伸ばされて一つの接触部を形成し、当該担持部の後端が前記可撓性部材に接続されることを特徴とする請求項1に記載のウェブカメラの脚台構成。
【請求項３】
前記接続座が前記担持部の頂部に設けられることを特徴とする請求項２に記載のウェブカメラの脚台構成。
【請求項４】
前記接触部の背面および前記底座の頂部にそれぞれ一つのソフトパッドが設けられることを特徴とする請求項２に記載のウェブカメラの脚台構成。
【請求項５】
前記接続座の頂部に一つの凹槽が設けられ、一つのウェブカメラを当該凹槽に接続することができることを特徴とする請求項１に記載のウェブカメラの脚台構成。
【請求項６】
前記可撓性部材が少なくとも一つの金属蛇腹管であることを特徴とする請求項１に記載のウェブカメラの脚台構成。
【考案の詳細な説明】
【技術分野】
【０００１】
本考案は、ウェブカメラの脚台構成に関し、特にウェブカメラを保持でき且つ異なる厚さのコンピューター・スクリーンの何れに対してもしっかりと載置できる脚台構成の改良に関する。
【背景技術】
【０００２】
ネットワーク伝送速度の急速な向上に伴い、ＡＶファイルをネットワーク上で快適に伝送し、向い合って即時にＡＶ通信することが大いに普及化している。その中で最も流行しているコンピューター周辺装置はウェブカメラであり、ウェブカメラが瞬時の映像と音声をピックアップする。従ってどれだけウェブカメラがしっかりと位置決めされ、揺らがないかは、大いに重要な課題である。
【０００３】
目前のウェブカメラの使用方式は、下記の３種類に分けられる。その一はＣＲＴスクリーンを使用する使用者が、ウェブカメラをスクリーンの上方または机面の上に置くものである。その二は、ＬＣＤスクリーンを使用する使用者がウェブカメラをスクリーンの上に置き或いは机面の上に置くものである。その三は、ノート・パソコンを使用する時にユーザーの大部分がウェブカメラをスクリーンの上に載置するものである。要するにウェブカメラの脚台は、しっかりとスクリーンの上および机面の上に載置できる機能を具備する必要がある。
【０００４】
例えば図１に示すように、従来のウェブカメラの脚台は、一つの平面底板座１ａを有し、当該平面底板座１ａが一つのウェブカメラ２ａの底部に接続されていた。平面底板座１ａの機能は、ウェブカメラ２ａを僅かに平面底板座１ａの上に設置するという機能だけのため、最初の「支持する」という目的を達成することはできるが、各種メーカーのＬＣＤスクリーン及びノート・パソコンは、その厚さに差異があり、平面底板座１ａを肉薄なスクリーンの上に放置すれば、しっかりと立てることが出来ず、撮影に使用上の不便をもたらし、そして軽微な衝突により倒れる恐れもあり、当該ウェブカメラ２ａが落ちて壊れる可能性があることにより、コストも増加する恐れがあった。  
【０００５】
そのため、本創作者は、前述の欠点を改善するため、特に鋭意研究し且つ学理の運用に対応し、ついに設計が合理で且つ前述の欠点を有効に改善できる本考案を提出するに至った。
【考案の開示】
【考案が解決しようとする課題】
【０００６】
以上の問題に鑑み、本考案の主要な目的は、各種スクリーンの上に広範に設置することができ且つコストを低減できるウェブカメラの脚台構成を提供することにある。
【課題を解決するための手段】
【０００７】
前記の目的を達成するために、本考案のウェブカメラの脚台構成は、一つの座体と一つの可撓性部材と一つの底座を含み、前記座体の頂部に一つの接続座が設けられ、前記可撓性部材の一端が前記座体に接続され、前記底座に一つの当接部が設けられ、前記底座が前記可撓性部材の他端に接続される。
【０００８】
本考案は、以下の有利な効果を具す。前記可撓性部材は屈曲できるので、前記底座の当接部をスクリーンに当接させることで一つの支持点を形成でき、前記座体および前記底座の支持により、ウェブカメラを各種厚さのスクリーン上にしっかりと載置でき、従って各種のスクリーンの上に広範に設置することができ且つコストを低減できる。
【０００９】
好ましくは、前記座体の内側および前記底座の当接部の上にそれぞれ一つのソフトパッドが設けられ、これによりスクリーンとの間における摩擦抵抗力を増加でき、前記座体および前記底座はスクリーンの上を滑ることがなく、さらにスクリーンを損害しないように保護できる。前記可撓性部材を少なくとも一つの金属蛇腹管とすることで、ユーザーは当該可撓性部材の屈曲を容易に行うことができる。
【００１０】
本考案の特徴および技術内容をより理解するために、以下本考案に関する詳細な説明を図面を参照しながら行うが、しかしながら添付の図面は参考と説明用にだけ供するものであり、本考案をより限定するように用いられるものではない。
【考案を実施するための最良の形態】
【００１１】
例えば図２及び図３に示すように、本考案はウェブカメラの脚台構成であって、一つの座体１と一つの可撓性部材２と一つの底座３を含む。座体１は一つの担持部１１と一つの接触部１２を含み、担持部１１の頂部に一つの接続座１１１が設けられ、当該接続座１１１の頂部に一つの凹槽１１１１が設けられる。担持部１１の後端には二つの接続孔１１２が設けられる。接触部１２は担持部１１の前端から下向きに伸ばして形成され、当該座体１は略Ｌ字形を呈する。  
【００１２】
可撓性部材２は二つの金属蛇腹管２１を含み、担持部１１の後端の二つの接続孔１１２に当該可撓性部材２の二つの金属蛇腹管２１の一端がそれぞれ挿着されて接続される。底座３の後端には二つの接続孔３１が設けられ、底座３の頂部および外縁には一つの当接部３２が設けられ、可撓性部材２の二つの金属蛇腹管２１の他端が底座３の二つの接続孔３１にそれぞれ挿着されて接続される。接触部１２の後端および底座３の頂部にはそれぞれ一つのソフトパッド４が設けられる。
【００１３】
図４をあわせて参照すると、一つのウェブカメラ５を凹槽１１１１に接続し、可撓性部材２を調整することにより、本考案の脚台は一つのコンピューターの机６の上にしっかりと載置できる。この時ユーザーの需要に応じてウェブカメラ５の角度も調整できる。図５をあわせて参照すると、ウェブカメラ５が凹槽１１１１に接続された後に、座体１は一つのＬＣＤスクリーン７の上に掛けて置くことができ、可撓性部材２を調整することにより、本考案の底座３の当接部３２をＬＣＤスクリーン７に当接させることができ、これにより支持点を形成することができる。接触部１２の後端および底座３の頂部のソフトパッド４により、ＬＣＤスクリーン７との間の摩擦抵抗力が増加し、滑り現象の発生を防止でき、さらにＬＣＤスクリーン７を壊さないように保護できる。また図６を参照すると、ウェブカメラ５が凹槽１１１１に接続された後に、ウェブカメラ５を一つのノート・パソコン８の上方に掛けて置くことができ、可撓性部材２を屈曲することにより、本考案の底座３の当接部３２をノート・パソコン８に当接させ、これにより底座３が支持点となる。接触部１２の後端および底座３の頂部のソフトパッド４により、ノート・パソコン８との間の摩擦抵抗力を増加し、滑りの発生を避け、さらにノート・パソコン８を壊さないように保護できる。
【００１４】
以上のように本考案のウェブカメラの脚台構成は、下記の利点を具する。
１、可撓性部材２は屈曲することができるので、底座３の当接部３２をＬＣＤスクリーン７又はノート・パソコン８に当接させることで、一つの支持点となり、座体１と底座３の支持により、本考案の脚台は各種の厚さのＬＣＤスクリーン７又はノート・パソコン８にしっかりと載置できる。
【００１５】
２、底座３の底部は、完全に一つのコンピューターの机６の上に水平に載置できることにより、本考案の脚台はコンピューターの机６の上にしっかりと載置できる。
【００１６】
３、座体１の接触部１２及び底座３の当接部３２の上にそれぞれ一つのソフトパッド４が設けられ、ＬＣＤスクリーン７又はノート・パソコン８との間の摩擦抵抗力を増加できることにより、座体１と底座３がＬＣＤスクリーン７及びノート・パソコン８の上で滑ることがなく、さらにＬＣＤスクリーン７とノート・パソコン８を壊さないように保護できる。
【００１７】
４、可撓性部材２が二つの金属蛇腹管２１を含み、ユーザーは、二つの金属蛇腹管２１に対し屈曲を容易に行うことが出来る。
【００１８】
以上の叙述は、ただ本考案の内におけるより好ましい実施例のみであり、本考案の実施範囲を限定するように用いられるものではなく、例えば本考案の実用新案登録請求の範囲に基づく等価な変更および潤色は、いずれも本考案の登録請求の範囲により保護されるべきである。
【図面の簡単な説明】
【００１９】
【図１】従来のウェブカメラの脚台の斜視組立図である。
【図２】本考案のウェブカメラの脚台の斜視組立図である。
【図３】本考案のウェブカメラの脚台の斜視分解図である。
【図４】本考案のウェブカメラの脚台の第１の使用状態を示す図である。
【図５】本考案のウェブカメラの脚台の第２の使用状態を示す図である。
【図６】本考案のウェブカメラの脚台の第３の使用状態を示す図である。
【符号の説明】
【００２０】
１  座体
１ａ  平面底板座
２  可撓性部材
２ａ  ウェブカメラ
３  底座
４  ソフトパッド
５  ウェブカメラ
６  コンピューターの机
７  ＬＣＤスクリーン
８  ノート・パソコン
１１  担持部
１２  接触部
２１  金属蛇腹管
３１  接続孔
３２  当接部
１１１  接続座
１１２  接続孔
１１１１  凹槽
【図１】
0003130296.tif 000003
【図２】
0003130296.tif 000004
【図３】
0003130296.tif 000005
【図４】
0003130296.tif 000006
【図５】
0003130296.tif 000007
【図６】
0003130296.tif 000008